(57)【要約】【課題】０．５ｇ未満の小粒のマイクロチューバーの使用を可能にすることはもちろん、移植後の良好な生育を保証し、しかも移植時のトラブルにも有効に対処できる球根類植物の育苗方法を提供する。【解決手段】連続紙筒の集合体をハニカム状に展開して納めた苗箱内に培土を土詰めした後、一粒の大きさが０．１〜１．０ｇ望ましくは０．１〜０．５ｇのマイクロチューバーを、各紙筒内の培土に播種し、覆土する。その後、苗箱をハウス内に移し、所定期間育苗した後、紙筒内の球根類植物苗を、適宜の移植機を用いて紙筒ごとに、あるいは紙筒を剥離して裸苗の状態で本圃に移植し、施肥、除草を行いながら適当期間栽培する。【選択図】    なし【特許請求の範囲】
【請求項１】
マイクロチューバーを紙筒内の培土に播種し育苗することを特徴とする球根類植物の育苗方法。
【請求項２】
マイクロチューバーの一粒を紙筒内の培土に播種する、請求項１に記載の球根類植物の育苗方法。
【請求項３】
マイクロチューバーの一粒の大きさが、０．１〜１．０ｇである、請求項１または２に記載の球根類植物の育苗方法。
【請求項４】
マイクロチューバーの一粒の大きさが、０．１〜０．５ｇ（ただし、０．５ｇは除く）である、請求項１または２に記載の球根類植物の育苗方法。
【請求項５】
紙筒の集合体をハニカム状に展開して苗箱に納め、該苗箱内で育苗する、請求項１乃至４の何れか１項に記載の球根類植物の育苗方法。
【請求項６】
集合体が、連結片で連結された連続紙筒の集合体である、請求項５に記載の球根類植物の育苗方法。
【請求項７】
球根類植物が、馬鈴薯である、請求項１乃至６の何れか１項に記載の球根類植物の育苗方法。
【請求項８】
請求項１乃至７の何れか１項に記載の育苗方法により育苗されてなることを特徴とする球根類植物苗。
【請求項９】
請求項８に記載の球根類植物苗を移植機により本圃に移植し栽培することを特徴とする球根類植物の移植栽培方法。
【請求項１０】
球根類植物苗を紙筒ごと本圃に移植する、請求項９に記載の球根類植物の移植栽培方法。
【請求項１１】
球根類植物苗を、紙筒を剥離して取出し、裸苗の状態で移植する、請求項９に記載の球根類植物の移植栽培方法。
【請求項１２】
請求項９乃至１１の何れか１項に記載の移植栽培方法により得られたことを特徴とする馬鈴薯の種芋。
【請求項１３】
請求項９乃至１１の何れか１項に記載の移植栽培方法により得られたことを特徴とする馬鈴薯。
【発明の詳細な説明】
【０００１】
【発明が属する技術分野】
本発明は、マイクロチューバーを利用した球根類植物の育苗方法および移植栽培方法に関する。
【０００２】
【従来の技術】
球根類植物としては、鱗茎、球茎、塊茎、根茎、地下茎、塊根茎などの植物が挙げられる。馬鈴薯は、その内の塊茎植物の１つであり、従来、この馬鈴薯の栽培には、種芋を圃場に直播する方式が一般に採用されていた。しかして、馬鈴薯自体が塊茎で増殖するため、種子で増殖する稲や麦等の作物と比べて増殖率が格段に低い、という問題があった。
そこで近年、マイクロチューバーを利用した馬鈴薯の栽培が注目を集めている。このマイクロチューバーは、塊茎植物の芽の生長点を切り取って、無菌的に組織培養して得られるもので、急速増殖による大量生産が期待されており、その製造方法については多くの改良がなされている（例えば、特許文献１参照）。
【０００３】
ところで、マイクロチューバーを本圃に直播して馬鈴薯を栽培する場合、マイクロチューバーの粒が小さい（例えば、０．５ｇ未満）と、土壌温度や水分に影響されやすく、発芽不良となるものが多くなる（発芽率５０％未満）。このため、従来は、主に０．５ｇ以上の比較的大粒のマイクロチューバーを直播するようにしており、一粒が０．５ｇ未満のものは、その多くを廃棄処分にしていた。したがって、マイクロチューバーの生産においては、０．５ｇ以上の比較的大型のマイクロチューバーをいかに効率よく生産するかが重要な課題となっており、その解決に向けて種々の改良が試みられていた（例えば、特許文献２参照）。
なお、一部では、マイクロチューバーを、プラスチック等からなる鉢状のポット（成型ポット）内で育苗した後、本圃に移植することを行なっており（例えば、特許文献３参照）、この方法によれば、０．５ｇ未満のマイクロチューバーの使用も可能になる、と考えられる。
【０００４】
【特許文献１】
特許第２９０４９２４号公報
【特許文献２】
特開平７−１７０８６９号公報
【特許文献３】
特開平５−２１９８５０号公報
【０００５】
【発明が解決しようとする課題】
しかしながら、従来のマイクロチューバー生産方法によれば、種々の改良法においても、０．５ｇ未満のマイクロチューバーが一定の率（２０〜３０％）で発生し、これらを圃場に直播しても発芽率が低い場合が多く、また、発芽してもその後の生育遅延が見られることから、多くのマイクロチューバーが廃棄処分されることとなり、このことが、マイクロチューバーの一層のコスト低減策を妨げる大きな要因となっていた。また、マイクロチューバーを本圃に直播する場合は、０．５ｇ以上のマイクロチューバーを用いたとしても、現行の種芋による栽培に比べると、初期生育が停滞する傾向があり、適正な収穫時期の遅延をもたらすこととなっていた。
一方、直根性植物である馬鈴薯は、根巻きによる根鉢（根部ブロック）の形成能が小さい、という性質があり、上記のごとくマイクロチューバーを成型ポット内で育苗した後、本圃に移植する方法によれば、移植時にポット内から苗を取出す際、取出しの衝撃（移植機ではポットの底部側から突出す）で培土が大きく崩落し、これに伴って細根や茎が切断される機会が増し、結果として、移植後の生育（初期生育）が悪化したり、そうか病などのウイルス感染を受けやすくなる。なお、この問題に対処すべく、根部ブロックが形成されるまで、すなわち根巻きが十分に進行するまで育苗すると、根巻きにより移植後の活着が悪化し、初期生育が停滞する、という新たな問題が生じることになる。
本発明は、上記した問題点に鑑みてなされたもので、その課題とするところは、０．５ｇ未満の小粒のマイクロチューバーの使用を可能にすることはもちろん、移植後の良好な生育を保証し、しかも移植時のトラブルにも有効に対処できる球根類植物の育苗方法を提供し、併せてこの育苗方法によって育苗された球根類植物苗と球根類植物の移植栽培方法とを提供することにある。
【０００６】
【課題を解決するための手段】
上記課題を解決するため、本発明に係る球根類植物の育苗方法は、マイクロチューバーを紙筒内の培土に播種し育苗することを特徴とする。
このように行う球根類植物の育苗方法においては、ウイルス、病害虫等がほぼ完全に除去された培土を紙筒に充填し、播種後は、温度、湿度等が適正に管理されたハウス内で育苗を行うことで、０．５ｇ未満の小粒のマイクロチューバーを使用しても十分に発芽し、移植後の生育も良好になる。
しかも、紙筒は、土中で腐食するので、上記した紙筒内で育苗された球根類植物苗は、紙筒ごと移植することができ、培土崩落による細根や茎の切断を防止できる。また、紙筒として、二枚の帯状薄膜を所定ピッチで接合して、その接合部分の相互間を鉢体として構成した連続紙筒を用いる場合は、二枚の帯状薄膜を機械的に剥離して苗を取出し、これを挟持しながら圃場に移植することができるので、培土の急激な崩落を伴うことはなく、裸苗として移植する場合でも、細根や茎の切断を最小限に抑えることができる。
本発明に係る移植栽培方法は、上記したように紙筒内で育苗された球根類植物苗を本圃に移植栽培することを特徴とするが、この場合は、移植機による自動移植が可能になる。また、この球根類植物苗の移植栽培においては、馬鈴薯の種芋を収穫するようにしてもよい。
【０００７】
【発明の実施の形態】
以下、本発明の実施の形態を説明する。
【０００８】
本発明に係る球根類植物特に塊茎植物の育苗方法は、上記したように紙筒内で育苗するので、０．５ｇに満たない小粒のマイクロチューバーを用いても十分に発芽し、したがって、従来、その多くが廃棄処分されていた０．５ｇ未満のマイクロチューバーの使用が可能になる。また、移植後の初期生育が良好となるので、０．５ｇ以上のマイクロチューバーを用いる場合でも、従来の種芋直播による栽培と比較して、収穫時期が遅延することはない。ただし、０．１ｇに満たないマイクロチューバーは発芽までに時間がかかり、一方、１ｇを超えるマイクロチューバーは、これを本圃に直播しても、現行の種芋を直播する場合とほぼ同等の発芽率となるので、本育苗方法においては、一粒の大きさが０．１〜１．０ｇ特に０．１〜０．５ｇ（ただし、０．５ｇは除く）範囲のマイクロチューバーを用いる場合に、大きな効果を発揮する。なお、紙筒内の培土に播種するマイクロチューバーの数は任意であり、一粒ずつ播種しても、複数粒ずつ播種してもよい。また、一粒の大きさが１ｇを超えるマイクロチューバーを紙筒に播種し、育苗移植する場合は、現行の種芋直播による場合よりも生育が活発となるので、一粒の大きさが１ｇを超えるマイクロチューバーについても、本育苗方法を適用してもよい。
【０００９】
本育苗方法においては、紙筒の集合体をハニカム状に展開して苗箱内に納め、該苗箱内で育苗するのが望ましい。このように紙筒の集合体を苗箱内に納めることで、土詰および播種を効率よく行うことができることはもちろん、ハウス内での管理も容易となり、集中的に多量の塊茎植物を育苗できる。
この場合、上記紙筒の集合体としては、独立した紙筒を水溶性接着を介して集合させたものを用いてもよいが、例えば、特公平４−７９６１２号公報等に記載されるような、連結片で連続された連続紙筒を水溶性接着剤を介して集合させた集合体を用いるのが望ましい。このような連続紙筒の集合体は、育苗時の潅水で水溶性接着剤が失効するので、連続紙筒を一列に引出すことができ、例えば、特許第２６２７４７１公報に記載されるような接地型の簡易移植機を用いて、紙筒ごと塊茎植物苗を本圃に連続移植することができる。
紙筒としてはまた、同じく特公平４−７９６１２号公報に記載されるように、二枚の帯状薄膜を所定ピッチで接合して、その接合部分の相互間を鉢体として構成した連続紙筒がある。このような連続紙筒を用いる場合は、例えば、特開平１１−５６０２２号公報に記載されるような移植機を用いて、二枚の帯状薄膜を機械的に剥離して塊茎植物苗を取出すことができるので、裸苗の状態で任意の株間で連続移植することができる。
【００１０】
本発明に係る育苗方法の対象となる塊茎植物の種類としては、馬鈴薯、キクイモ、長芋、ヤーコン、里芋、カブ、ダイコン、カラジウム、カラー、熱帯スイレン、アネモネ、ラナンキュラス、シクラメン等があるが、栽培条件が厳しく、しかも栽培量が飛びぬけて多い馬鈴薯に適用した場合に、特に有用となる。
馬鈴薯に代表される塊茎植物は、前記したように直根性植物であり、紙筒内で必要以上に根が伸びやすくなる。このため、育苗に際しては、根止め作用を有する下敷紙の上に紙筒を載せて、根の伸びを抑制するのが望ましい。
また、この種の塊茎植物は、上記した直根性により根巻きによる根ブロック形成能が小さいので、上記した薄膜剥離タイプの移植機を用いて裸苗の状態で移植する場合は、根部ブロック形成能を有するブロック培土を併用するのが望ましい。
【００１１】
また、本発明に係る育苗方法は、上記の塊茎植物以外の球根類植物に適用可能である。すなわち、鱗茎植物の種類としては、タマネギ、ラッキョウ、ユリ、チューリップ、スイセン、ヒヤシンス、球根アイリス、アマリリス、リコリス、オーニソガラム、シラーなどが、球茎植物の種類としては、グラジオラス、フリージア、クロッカス、イキシア、スバラキシス、バビアナ、トリトニア、ワトソニア、アシダンセラ、アンソリザ、コルチカムなどが、根茎や地下茎植物としては、カンナ、ジンジャーリリー、カラーチルドシアナ、耐寒性スイレン、ハスなどが、塊根植物の種類としては、ダリアなどが挙げられる。これらの植物の小塊茎、小鱗茎、小球茎、小根茎、小地下茎、小塊根を用いる場合には、上記の馬鈴薯マイクロチューバーと同様、一粒の大きさが０．１〜１．０ｇ特に０．１〜０．５ｇ範囲のものを用いることが好ましいが、０．１ｇ未満や１ｇを超えるものを用いてもよい。また、馬鈴薯マイクロチューバーを含む本発明で使用する球根類植物はビトロのもの、ビボのものいずれでも構わないが、発芽率やその後の生育促進の点でビトロのものを用いる方がより効果が発揮される。
【００１２】
以下、本発明に係る球根類植物の育苗および移植栽培方法を順を追って具体的に説明する。
球根類植物の育苗に際しては、扁平状態で保管されている紙筒の集合体を、適宜の展開枠を用いてハニカム状に展開し、これを苗箱に納める。なお、紙筒の集合体を苗箱に納めるに際しては、必要により根止め用の下敷紙を苗箱の底に敷く。次に、ウイルス、病害虫等がほぼ完全に除去された育苗培土を苗箱に土詰めし、各紙筒内に必要量の培土を充填し、この充填後、展開枠を除去する。次に、適宜の手段（例えば、播種穴形成板）を用いて各紙筒内に播種穴を形成し、この播種穴内に所定大きさ（０．１〜１．０ｇ）のマイクロチューバーを一粒または複数粒播種し、さらにマイクロチューバーが完全に隠れる程度に覆土する。その後は、苗箱をハウス内に移し、温度、湿度等を適正に管理しながら一定期間育苗する。すると、各紙筒内のマイクロチューバーは、短期間で発芽し、草丈も急速に伸長する。
【００１３】
そして、草丈が適宜長さまで伸長したら、各紙筒内の苗すなわち塊茎植物苗を本圃に移植する。この移植に際しては、塊茎植物苗を紙筒ごと移植しても、あるいは紙筒から取出して裸苗として移植してもよく、いずれにおいても、上記した簡易移植機あるいは薄膜剥離タイプの移植機を用いて自動移植することができる。しかして、塊茎植物苗は、上記した紙筒内での育苗で十分に発芽しかつ草丈が伸びていることから、移植後、急速に根が伸びて活着し、初期生育が旺盛となる。しかも、ウイルスや病害虫に冒されていないことから、塊茎の増殖も旺盛となり、収穫できる芋数および重量は、種芋を圃場に直播する従来法と同等以上となる。特に、本発明の移植栽培方法によれば、種芋数の増加率が、従来の種芋による場合よりも大幅に高くなり、この結果、次年度種芋として利用できるものが多くなり、種芋生産に多大の効果をもたらす。
【００１４】
【実施例】
実施例１
前記した特許第２９０４９２４号公報に記載の実施例２に従って作製した馬鈴薯（品種：シンシア）マイクロチューバーの重量分布を調査した。表１は、その調査結果を示したものである。なお、以下に示す表で、マイクロチューバーをＭＴとして表記している。表１に示す結果より、０．５ｇ未満の粒のマイクロチューバーが約４０％を占め、０．５ｇ未満のマイクロチューバーの利用がいかに生産コストに影響するかが明らかである。
【００１５】
【表１】
2004275061.tif 000002
【００１６】
実施例２
馬鈴薯（品種：シンシア）を対象に、実施例１で作製した一粒０．１〜０．３ｇのマイクロチューバーと一粒０．５〜１．０ｇのマイクロチューバーとを選択し、一粒０．１〜０．３ｇのマイクロチューバーについては、これを圃場に直播する試験（試験区１）と本発明の方法（紙筒内育苗）による試験（試験区３）とを行い、一粒０．５〜１．０ｇのマイクロチューバーについては、圃場に直播する試験（試験区２）とを行い、２５日間育苗後の発芽状態を調査した。ここで、試験区３（本発明の方法）は、連続紙筒の集合体（日本甜菜製糖社製、チェーンポットＢＰ３５３）を使用し、上記実施の形態で述べたと同様、これを苗箱に納めて土詰め、播種（一粒）、覆土を行い、ハウス内で生育した。調査結果を表２に示す。なお、同表中、草丈は平均値を、得苗率は草丈３ｃｍ以上の割合をそれぞれ表している。
【００１７】
【表２】
2004275061.tif 000003
【００１８】
表２に示す結果より、一粒０．１〜０．３ｇのマイクロチューバーを本圃に直播した試験区１では、発芽率が２６％程度ときわめて低く、到底実用に供し得ないことが明らかである。一方、一粒０．５〜１．０ｇのマイクロチューバーを直播した試験区２では、発芽率が約８８％となっており、直播しても、ある程度の成績が得られている。これに対し、試験区１と同じ一粒０．１〜０．３ｇのマイクロチューバーを本発明の方法で育苗した試験区３では、発芽率が９７％以上にも達し、平均草丈も十分な大きさとなっている。また、試験区３では、草丈３ｃｍ以上の割合（得苗率）がかなり高くなっており、草丈のバラツキが少ないことも明らかになった。
【００１９】
実施例３
実施例２の試験区３で育苗した塊茎植物苗を、上記した薄膜剥離タイプの移植機（日本甜菜製糖社製二条型）を使用して裸苗の状態で試験区２と隣接して本圃に移植し、栽培を行った。移植は、畦幅７２ｃｍの畦に株間２８ｃｍで行い、移植後、試験区２と同じ施肥をしながら栽培を行い、生育状況および収穫量を調査した。表３および表４に、その調査結果を示す。
【００２０】
【表３】
2004275061.tif 000004
【００２１】
【表４】
2004275061.tif 000005
【００２２】
表３に示す結果より、一粒０．１〜０．３ｇのマイクロチューバーを本発明の方法で育苗し移植栽培した試験区３では、開花日が早く、生育がきわめて良好で、一粒０．５〜１．０ｇのマイクロチューバーを直播した試験区２と同等以上の生育状況を示している。また、表４に示す結果より、本発明の方法で育苗し移植栽培した試験区３の収穫量は、芋数および重量の双方で試験区２以上の成績が得られている。特に、芋数で比較すると、試験区３では、５０ｇ以下の芋数が際立って多くなっており、種芋の収穫にきわめて有用であることが明らかになった。
【００２３】
実施例４
馬鈴薯（品種：さやか）を対象に、前記した特許第２９０４９２４号公報に記載の実施例２に従って作製した、一粒０．５〜１．０ｇのマイクロチューバーと汎用の種芋とを選択し、マイクロチューバーについては、これを圃場に直播する試験（試験区４）と本発明の方法の育苗および移植による試験（試験区５）とを行い、一定期間栽培後の収穫量を調査した。ここで、試験区５（本発明の方法）は、連続紙筒の集合体（日本甜菜製糖社製、チェーンポットＢＰ３５３）を使用し、上記実施の形態で述べたと同様、これを苗箱に納めて土詰め、播種、覆土を行い、ハウス内で生育した。また、各試験区４、５で、畦幅を７２ｃｍ、株間を２８ｃｍ、作付け面積を１０アール（ａ）とそれぞれ同一にし、施肥も同一とした。なお、試験区５については、作付け面積を半分に分け、収穫日を変えて２回収穫した。調査結果を表５に示す。
【００２４】
【表５】
2004275061.tif 000006
【００２５】
表５に示す結果より、本発明の方法で育苗し移植栽培した試験区５の収穫量は、マイクロチューバー直播の試験区４と比較して、収穫重量においてそれほどの差がないものの、収穫芋数が著しく多くなっている。このことは、種芋収穫に本発明の方法がきわめて有用であることを意味している。
【００２６】
【発明の効果】
以上、詳細に説明したように、本発明に係る球根類植物の育苗方法および移植栽培方法よれば、従来、主に廃棄処分にしていた０．５ｇ未満の小粒のマイクロチューバーを使用しても十分に発芽し、移植後の良好な生育も保証されることとなって、十分なる収穫を上げることができる。また、紙筒を用いることで、移植時の培土崩落による細根や茎の切断も防止でき、移植機による自動移植も可能になって、球根類植物の効率的な栽培に大きく寄与するものとなる。
さらに、種芋数の増加率が、現行の種芋直播方式に比べて大幅に高くなるので、馬鈴薯の種芋栽培において好適となる。